(57)【要約】【課題】複合サイクル発電プラントを提供すること。【解決手段】複合サイクル発電プラント１０が記載され、蒸気タービン２０と、第１の熱回収蒸気発生器３０と、第２の熱回収蒸気発生器４０とを備える。第１の熱回収蒸気発生器３０は、第１の蒸気パイプシステム３２によって蒸気タービン２０に取り付けられ、第２の熱回収蒸気発生器４０は、第２の蒸気パイプシステム４２によって蒸気タービン２０に取り付けられ、蒸気が第１及び第２の熱回収蒸気発生器３０、４０から蒸気タービン２０に通ることができる。蒸気タービン２０は、第１の熱回収蒸気発生器３０と第２の熱回収蒸気発生器４０の間に配置される。【選択図】図１
2017040266.tif 000002
【特許請求の範囲】
【請求項１】
蒸気タービン（２０）と、
第１の熱回収蒸気発生器（３０）及び第２の熱回収蒸気発生器（４０）であって、前記第１の熱回収蒸気発生器（３０）が第１の蒸気パイプシステム（３２）によって前記蒸気タービン（２０）に取り付けられ、前記第２の熱回収蒸気発生器（４０）が第２の蒸気パイプシステム（４２）によって前記蒸気タービン（２０）に取り付けられ、蒸気が前記第１及び第２の熱回収蒸気発生器（３０、４０）から前記蒸気タービン（２０）に通ることができる、第１の熱回収蒸気発生器（３０）及び第２の熱回収蒸気発生器（４０）と、
を含み、
前記蒸気タービン（２０）は、前記第１の熱回収蒸気発生器（３０）と前記第２の熱回収蒸気発生器（４０）の間に配置される、複合サイクル発電プラント（１０）。
【請求項２】
前記第１の蒸気パイプシステム（３２）と前記第２の蒸気パイプシステム（４２）は、互いに対称である、請求項１記載の複合サイクル発電プラント（１０）。
【請求項３】
前記第１の蒸気パイプシステム（３２）と前記第２の蒸気パイプシステム（４２）は、蒸気タービン回転軸（２２）に対して互いに対称である、請求項２記載の複合サイクル発電プラント（１０）。
【請求項４】
前記第１の蒸気パイプシステム（３２）は、前記第１の熱回収蒸気発生器（３０）の中心点で前記第１の熱回収蒸気発生器（３０）に取り付けられ、前記点が、前記蒸気タービン回転軸（２２）に垂直な方向（ｙ）の中心であり、
前記第２の蒸気パイプシステム（４２）は、前記第２の熱回収蒸気発生器（４０）の中心点で前記第２の熱回収蒸気発生器（４０）に取り付けられ、前記点が、前記蒸気タービン回転軸（２２）に垂直な方向（ｙ）の中心である、請求項１乃至３のいずれか１項記載の複合サイクル発電プラント（１０）。
【請求項５】
前記蒸気タービンは、第１の蒸気タービン（２３）であり、
複合サイクル発電プラント（１０）は、前記第１のタービン（２３）よりも低い圧力で作動するために構成されて配置される第２の蒸気タービン（２４）を含み、前記第１の熱回収蒸気発生器（３０）は、第１の領域（３５）と第２の領域（３６）を含み、前記第２の領域（３６）が、前記第１の領域（３５）よりも低い圧力で機能するために構成されて配置され、
前記第２の熱回収蒸気発生器（４０）は、第１の領域（４５）と第２の領域（４６）を含み、前記第２の領域（４６）が、前記第１の領域（４５）よりも低い圧力で機能するために構成されて配置され、
前記第１の蒸気タービン（２３）は、前記第１の熱回収蒸気発生器（３０）の前記第１の領域（３５）と、前記第２の熱回収蒸気発生器（４０）の前記第１の領域（４５）と、に隣接し、
前記第２の蒸気タービン（２４）は、前記第１の熱回収蒸気発生器（３０）の前記第２の領域（３６）と、前記第２の熱回収蒸気発生器（４０）の前記第２の領域（４６）と、に隣接する、請求項１乃至４のいずれか１項記載の複合サイクル発電プラント（１０）。
【請求項６】
前記第１の蒸気タービンは、高圧蒸気タービン（２３）であり、前記第２の蒸気タービンは、中圧蒸気タービン（２４）であり、前記第１の熱回収蒸気発生器（３０）の前記第１の領域と前記第２の領域は、それぞれ高圧領域（３５）と中圧領域（３６）であり、前記第２の熱回収蒸気発生器（４０）の前記第１の領域と前記第２の領域は、それぞれ高圧領域（４５）と中圧領域（４６）である、請求項５記載の複合サイクル発電プラント（１０）。
【請求項７】
前記複合サイクル発電プラントは、多軸複合サイクル発電プラントである、請求項１記載の複合サイクル発電プラント（１０）。
【請求項８】
前記複合サイクル発電プラントは、
第１のガスタービンであって、前記ガスタービンから前記第１の熱回収蒸気発生器に排気ガスが流れるのを可能にするために前記第１の熱回収蒸気発生器に取り付けられる第１のガスタービンと、
第２のガスタービンであって、前記ガスタービンから前記第２の熱回収蒸気発生器に排気ガスが流れるのを可能にするために前記第２の熱回収蒸気発生器に取り付けられる第２のガスタービンと、を含み、
前記複合サイクル発電プラントは、前記蒸気タービンが第１の軸上、前記第１のガスタービンが第２の軸上、前記第２のガスタービンが第３の軸上にある多軸複合サイクル発電プラントとして配置される、請求項７記載の複合サイクル発電プラント（１０）。
【請求項９】
前記第１の蒸気タービンは、高圧蒸気タービン（２３）であり、前記複合サイクル発電プラント（１０）は、単一の軸上に、発生器（５２）と、前記高圧蒸気タービン（２３）と、中圧蒸気タービン（２４）と、第１の低圧蒸気タービンと、第２の低圧蒸気タービンと、を含む、請求項１記載の複合サイクル発電プラント（１０）。
【発明の詳細な説明】
【技術分野】
【０００１】
本開示は、複合サイクル発電プラントに関し、特に、蒸気タービン、第１の熱回収蒸気発生器、及び、第２の熱回収蒸気発生器を備える複合サイクル発電プラントに関する。
【背景技術】
【０００２】
既存の多軸複合サイクル発電プラント（ＣＣＰＰｓ）では、蒸気タービンは通常、それに供給する熱回収蒸気発生器（ＨＲＳＧｓ）から離して配置される。しかしながら、ＣＣＰＰｓの中の熱回収蒸気発生器に関して、蒸気タービンの配置は、改善することができると理解されてきた。
【発明の概要】
【課題を解決するための手段】
【０００３】
本発明は、現在参照すべき添付した独立請求項に定義する。本発明の有利な特徴は、従属請求項に記載する。
【０００４】
第１の態様は、蒸気タービンと、第１の熱回収蒸気発生器及び第２の熱回収蒸気発生器であって、第１の熱回収蒸気発生器が第１の蒸気パイプシステムによって蒸気タービンに取り付けられ、第２の熱回収蒸気発生器が第２の蒸気パイプシステムによって蒸気タービンに取り付けられ、蒸気が第１及び第２の熱回収蒸気発生器から蒸気タービンに通ることができる、第１の熱回収蒸気発生器（３０）及び第２の熱回収蒸気発生器（４０）と、を含み、蒸気タービンは、第１の熱回収蒸気発生器と第２の熱回収蒸気発生器の間に配置される、複合サイクル発電プラントを提供する。
【０００５】
これにより、最適化した緻密な配置によってシステムや設備の配置における柔軟性を高めることができる。特に、既存の設計と比較して、このレイアウトにより、敷地占有面積（ｇｒｏｕｎｄ  ｆｏｏｔｐｒｉｎｔ）をさらに最適化（軽減）することができ、以前必要とされた建築構造のいくつかをなくすことができ、潤滑油モジュールなどの付属のシステム及び／又は構造の複製を軽減でき、土木コンクリート工事の必要性を軽減でき、必要な材料が量的に軽減されるおかげで現場作業を軽減でき、保全のための追加の空間を提供できる。既存の設計と比較して、このレイアウトは、調達と据え付けの工程を単純化することもできる。部品の応力も軽減でき、圧力降下（例えば、蒸気タービンからＨＲＳＧ）も軽減でき、必要な蒸気パイプの長さも軽減できる。全体にわたって、性能と効率を改善することができる。以下に詳述するように、任意選択の特徴は、そういった利点を提供するのに役立つ場合がある。
【０００６】
一実施形態では、第１の蒸気パイプシステムと第２の蒸気パイプシステムは、蒸気タービン回転軸に対して互いに対称である。いくつかのユニットや部品のための２つの鏡像関係を有する（ｍｉｒｒｏｒｅｄ）設計に関する要件は複雑さを増すが、本出願中の各箇所に記載した様々な恩恵が、この短所を上回る場合がある、と理解されてきた。
【０００７】
一実施形態では、第１の蒸気パイプシステムは、第１の熱回収蒸気発生器の中心点で第１の熱回収蒸気発生器に取り付けられ、その点が、蒸気タービン回転軸に垂直な方向（ｙ）の中心であり、第２の蒸気パイプシステムは、第２の熱回収蒸気発生器の中心点で第２の熱回収蒸気発生器に取り付けられ、その点が、蒸気タービン回転軸に垂直な方向（ｙ）の中心である。ＨＲＳＧｓ上に蒸気パイプシステム用の中心点を設けることにより、単一のＨＲＳＧ設計が可能になる。
【０００８】
一実施形態では、蒸気タービンは、第１の蒸気タービンであり、複合サイクル発電プラントは、第１のタービンよりも低い圧力で作動するために構成されて配置される第２の蒸気タービンを含み、第１の熱回収蒸気発生器は、第１の領域と第２の領域を含み、第２の領域が、第１の領域よりも低い圧力で機能するために構成されて配置され、第２の熱回収蒸気発生器は、第１の領域と第２の領域を含み、第２の領域が、第１の領域よりも低い圧力で機能するために構成されて配置され、第１の蒸気タービンは、第１の熱回収蒸気発生器の第１の領域と、第２の熱回収蒸気発生器の第１の領域と、に隣接し、第２の蒸気タービンは、第１の熱回収蒸気発生器の第２の領域と、第２の熱回収蒸気発生器の第２の領域と、に隣接する。これにより、ＨＲＳＧｓと蒸気タービンの間の蒸気の移動距離を最小限にすることができ、また、圧力降下を最小限にすることができる。
【０００９】
一実施形態では、第１の蒸気タービンは、高圧蒸気タービンであり、第２の蒸気タービンは、中圧蒸気タービンであり、第１の熱回収蒸気発生器の第１の領域と第２の領域は、それぞれ高圧領域と中圧領域であり、第２の熱回収蒸気発生器の第１の領域と第２の領域は、それぞれ高圧領域と中圧領域である。一実施形態では、複合サイクル発電プラントは、多軸複合サイクル発電プラントである。好ましくは、多軸複合サイクル発電プラントは、第１のガスタービンであって、ガスタービンから第１の熱回収蒸気発生器に排気ガスが流れるのを可能にするために第１の熱回収蒸気発生器に取り付けられる第１のガスタービンと、第２のガスタービンであって、ガスタービンから第２の熱回収蒸気発生器に排気ガスが流れるのを可能にするために第２の熱回収蒸気発生器に取り付けられる第２のガスタービンと、を含み、複合サイクル発電プラントは、蒸気タービンが第１の軸上、第１のガスタービンが第２の軸上、第２のガスタービンが第３の軸上にある多軸複合サイクル発電プラントとして配置される。
【００１０】
一実施形態では、第１の蒸気タービンは、高圧蒸気タービンであり、複合サイクル発電プラントは、単一の軸上に、発生器と、高圧蒸気タービンと、中圧蒸気タービンと、第１の低圧蒸気タービンと、第２の低圧蒸気タービンと、を含む。
【００１１】
本発明の実施形態は、ほんの一例として、添付の図面を参照して、以下に記載する。
【図面の簡単な説明】
【００１２】
【図１】発電プラントの平面図である。
【図２】別の発電プラントの平面図である。
【図３】第３の発電プラントの平面図である。
【発明を実施するための形態】
【００１３】
図１は、蒸気タービン２０、第１の熱回収蒸気発生器（第１のＨＲＳＧ）３０、及び、第２の熱回収蒸気発生器（第２のＨＲＳＧ）４０を備える複合サイクル発電プラント１０の一部を示す。第１及び第２のＨＲＳＧｓは、蒸気タービン２０の両側に配置される。第１及び第２のＨＲＳＧｓは、蒸気タービンに隣接して、蒸気タービンの回転軸２２の両側に設置される。蒸気タービン２０は、第１の蒸気パイプシステム３２によって第１のＨＲＳＧに、また、第２の蒸気パイプシステム４２によって第２のＨＲＳＧに、取り付けられる。蒸気パイプシステム３２、４２は、ＨＲＳＧｓ３０、４０と蒸気タービン２０の間で蒸気を搬送する。
【００１４】
図２は、複合サイクル発電プラント１０の別の例を示す。図１に示すようなたった１つの蒸気タービンの代わりに、高圧（ＨＰ）蒸気タービン２３と中圧（ＩＰ）蒸気タービン２４が設けられる。１つ、２つ又はそれ以上の低圧（ＬＰ）蒸気タービン（図示せず）をＩＰ蒸気タービン２４の下流に設けることもできる。ＨＰ蒸気パイプシステムは、第１のＨＰ蒸気パイプシステム３３と第２のＨＰ蒸気パイプシステム４３に分割され、ＩＰ蒸気パイプシステムは、第１のＩＰ蒸気パイプシステム３４と第２のＩＰ蒸気パイプシステム４４に分割される。
【００１５】
第１のＨＰ蒸気パイプシステム３３は、第１のＨＲＳＧ３０の第１の領域（例えば、ＨＰ領域３５）をＨＰ蒸気タービン２３に連結し、第２のＨＰ蒸気パイプシステム４３は、第２のＨＲＳＧ４０の第１の領域（例えば、ＨＰ領域４５）をＨＰ蒸気タービン２３に連結する。
【００１６】
第１のＩＰ蒸気パイプシステム３４は、第１のＨＲＳＧ３０の第２の領域（例えば、ＩＰ領域３６）をＩＰ蒸気タービン２４に連結し、第２のＩＰ蒸気パイプシステム４４は、第２のＨＲＳＧ４０の第２の領域（例えば、ＩＰ領域４６）をＩＰ蒸気タービン２４に連結する。
【００１７】
図２に示すように、蒸気パイプシステム３３、３４、４３、４４は、そうすることによって第１及び第２のＨＲＳＧｓを同一の設計にできるので、ＨＲＳＧｓの中心にそのいくつか又はすべてを連結することが好ましい。
【００１８】
ＨＰ蒸気タービン２３とＩＰ蒸気タービン２４は、軸５０上に配置される。発生器５２も、軸５０上に配置される。
【００１９】
図３は、複合サイクル発電プラントを示しており、２つのガスタービン６０をもち、個々が圧縮機６１、燃焼器（図示せず）、及びタービン６２を備えている。ガスタービン６０は、タービン排気ガスを第１及び第２のＨＲＳＧｓ３０、４０にそれぞれ搬送するライン６３、６４によって、第１及び第２のＨＲＳＧｓ３０、４０に取り付けられる。付属設備は、ガスタービンに隣接して及び／又はその上側に配置してもよい。
【００２０】
蒸気パイプシステムは、必要に応じて各種部品間で蒸気を方向付けるために構成されて配置される。ＨＲＳＧｓに蒸気パイプシステムが取り付けられる入口点（中心点でもある）によって、蒸気が、ＨＲＳＧｓを出て行って蒸気パイプシステムを通して蒸気タービンに移動することができる。ＨＲＳＧｓ内で蒸気を生成するのに要する熱は、例えば、ガスタービンからの廃熱を使用して生成してもよい。
【００２１】
複合サイクル発電プラントは通常、蒸気タービンの回転軸２２がｘ方向に水平に延びているレイアウトにされる（例えば、図２参照）。ｙ方向は、ｘ方向に直角であり、ｘ及びｙ方向は、水平面内に位置する。ｚ方向は、両ｘ及びｙ方向に直角に延び、したがって、垂直である。
【００２２】
複合サイクル発電プラントは、例えば、１つ又は複数のガスタービンを１つ又は複数の蒸気タービンと組み合わせてもよい（例えば、ガスタービン、ＨＰ蒸気タービン、ＩＰ蒸気タービン、及び２つのＬＰ（低圧）蒸気タービン）。単一軸又は多軸の配置は、利用することができる。多軸の構成では、図３のように個々が１つ又は複数のタービン（蒸気タービン、ガスタービン）を有した２つ以上の軸を別々に設けてもよい。各軸は通常、別々の発生器を有することになろう。２つ以上のタービン（蒸気タービン、ガスタービン）が同じ軸上にある単一軸のレイアウトは、例えば、ＨＰ蒸気タービン及びＩＰ蒸気タービンと同じ軸上のガスタービンを備えて、使用することもできる。
【００２３】
一般に、蒸気タービンは、第１と第２のＨＲＳＧｓ間に中心決めされる。すなわち、第１のＨＲＳＧは、蒸気タービンからの距離が第２のＨＲＳＧと同じである。このケースでは、ＨＲＳＧｓの位置は、蒸気タービン回転軸２２に対して対称であり、各ＨＲＳＧが蒸気タービン回転軸から同じ距離にある。蒸気タービン回転軸２２の両側のＨＲＳＧｓ及び／又は蒸気パイプシステムは、蒸気タービン回転軸２２に対して鏡像関係を有することができる。軸５０、したがって、蒸気タービン回転軸２２も、第１のＨＲＳＧと第２のＨＲＳＧの間に通常延びる。一般に、第１及び第２のＨＲＳＧｓは、図に示すように、蒸気タービン回転軸２２に平行に延びる。
【００２４】
蒸気タービンは、テーブル上に実装してもよい。そういった設計では、蒸気タービンは、テーブル構造の最上床面上にあってもよい。下方床面（通常、地表面）は、アクセスのために、例えば、建設及び保全の間の部品送達のために利用可能であってもよい。中間床面は、例えば、付属品を収容してもよい。テーブルの上方床面は、異なった高さを使用できるが、下方床面の上、約２０ｍにしてもよい。この配置によって、建設及び保全のための空間を提供することができる。
【００２５】
蒸気タービンの両側にシステムが複製されるので、鏡像関係を有する２つの設計（設置されていれば、蒸気タービン回転軸の線に沿って互いに対称である一対の設計）は、蒸気パイプシステムなどの部品によっては必要となる。他の部品（第１及び第２のＨＲＳＧｓなどの）は、同一にしてもよい。ＨＲＳＧｓのケースでは、ＨＲＳＧｓ上の中心位置に蒸気アクセス点を設けることによってそれが達成され、したがって、同一の設計が両側で使用できることになる。代替案として、鏡像関係を有する設計は、第１及び第２のＨＲＳＧｓに関して使用することもでき、そのケースでは、蒸気アクセス点（蒸気パイプシステムがＨＲＳＧｓに進入する点、例えば、図２参照）は、中心位置にある必要がない。
【００２６】
上述したように、第１のＨＲＳＧ３０と第２のＨＲＳＧ４０は、同一（又は実質上同一）にしてもよく、或いは、対称的な設計にしてもよい。特に、同一の設計に関して、第１及び第２の蒸気パイプシステムは、それぞれ第１及び第２のＨＲＳＧｓの最上部の中に、具体的には、蒸気タービン回転軸に垂直なｙ方向（例えば、図２参照）の最上部の中心点（中心連結点）の中に進入する。ｙ方向は、ＣＣＰＰが設置されたときの通常の水平方向でもある。中心点の中に進入することにより、ＨＲＳＧの同一の設計が蒸気タービンの両側で使用できる。中心点は、必須ではないが追加的にｘ方向の中心点にすることができ、第１及び第２のＨＲＳＧｓは、依然としてｘ方向の中心点からのずれを同じにすることができる。同一の設計とは、第１及び第２のＨＲＳＧｓが極々細部にまで絶対的に同じでなければならないということを意味しないし、軽微な又は表面的な細部は、必要に応じて変えることができる。そうは言っても、簡易化の理由から、真に同一の設計は、修正が軽微な設計にとって好ましい。
【００２７】
ＣＣＰＰの再配置は、ガスタービン間の又はガスタービンと蒸気タービンの間の潤滑油モジュールや消火モジュールなどのシステムを共用するための機会が一般に大いにあるということを意味する。これまでの設計では、そういったやり方で潤滑油モジュールや消火モジュールなどのモジュールを共用することが一般に可能でなく、したがって、本設計は、システムを複製する必要性が軽減されるため、有利な場合がある。依然として各ＨＲＳＧに付属システムが必要であるシステムに関して、第１のＨＲＳＧのための付属システムは、第２のＨＲＳＧのそれと鏡像関係を有する設計にする場合がある。一般には、そうだけれども、２つの鏡像関係を有する設計（互いの鏡像である２つの設計）というよりはむしろ、可能であれば、単一のシステムを付属システムのために有することが好ましい。それは、中心連結点を設けることにより達成することができる。
【００２８】
ＨＲＳＧｓの蒸気パイプシステムのための中心連結点に関して記載したように、中心連結点を有するということは、連結点がｙ方向（すなわち、蒸気タービン回転軸２２に垂直な方向であり、また通常水平方向でもある）の中心に配置されることを意味する。中心点は、追加的にｘ方向の中心点である場合がある。
【００２９】
部品は、図２の発生器（Ｇ）、それに続くＨＰ蒸気タービン（ＳＴ）、それに続くＩＰ蒸気タービンなどの上の例の特定のレイアウト（Ｇ  −  ＨＰ  ＳＴ  −  ＩＰ  ＳＴ）に示されている。Ｇ  −  ＩＰ  ＳＴ  −  ＨＰ  ＳＴなどの様々な他のレイアウトも可能である。ガスタービン（ＧＴ）も設けられる場合、可能なレイアウトには、Ｇ  −  ＧＴ  −  ＨＰ  ＳＴ  −  ＩＰ  ＳＴ、及び、ＧＴ  −  Ｇ  −  ＨＰ  ＳＴ  −  ＩＰ  ＳＴが含まれる。低圧蒸気タービンも設けられる場合、可能なレイアウトには、Ｇ  −  ＬＰ  ＳＴ  −  ＩＰ  ＳＴ  −  ＨＰ  ＳＴ、及び、Ｇ  −  ＨＰ  ＳＴ  −  ＩＰ  ＳＴ  −  ＬＰ  ＳＴ  −  ＬＰ  ＳＴが含まれる。ＬＰ  ＳＴシステムのための蒸気パイプシステムが非常にかさばる場合があるので、レイアウトの一端にＬＰ  ＳＴを含めることが好ましい場合がある。特に、どのＬＰ  ＳＴも第１及び第２のＨＲＳＧｓ間にないように配置されるとき、すなわち、ＬＰ  ＳＴが第１及び第２のＨＲＳＧｓ間に延在するかさの外にあるように配置されるとき、好ましい場合がある。それによって、第１及び第２のＨＲＳＧｓは、ＬＰ  ＳＴが第１及び第２のＨＲＳＧｓ間にある設計に対して、互いに近くに設置することができる。
【００３０】
レイアウトは、どんな特定の蒸気タービンにも限定されない。１つより多くの蒸気タービンが設けられるとき、両方が同じ圧力で動作することがあり、或いは、一方が他方より高い圧力で動作することがある。異なる圧力の３つの蒸気タービンが使用されるとき、それらは典型的に高圧、中圧、及び低圧と表され、高圧は、低圧より高い中圧より高い。たった２つの異なる圧力の蒸気タービンが使用されるとき、本明細書中では、高圧蒸気タービンと中圧蒸気タービンと呼ぶ。
【００３１】
第１の蒸気タービンと第２の蒸気タービン（図２のＨＰ蒸気タービンと、ＩＰ蒸気タービンなど）の間の距離は、設計段階で変えられる場合がある。高圧蒸気タービン２３は、第１の熱回収蒸気発生器３０の高圧領域３５と、第２の熱回収蒸気発生器４０の高圧領域４５と、に隣接することが好ましい。中圧蒸気タービン２４は、第１の熱回収蒸気発生器３０の中圧領域３６と、第２の熱回収蒸気発生器４０の中圧領域４６と、に隣接することが好ましい。第２のＨＲＳＧが既存の発電プラントに追加される場合などのいくつかのケースでは、１つ又は複数の領域３５、３６、４５、４６を隣接して有することだけ可能である場合がある。部品は、蒸気タービン回転軸２２に垂直な方向ｙの同じ線上にあるという点で隣接している（特に、図２のように、上方から見ているときにそれを理解できる）。この構成のおかげで、蒸気パイプシステム３３、３４、４３、４４は、蒸気タービンとＨＲＳＧｓが互いに隣接して設置されない構成よりも一般に短く作ることができる。理想的には、蒸気パイプシステムのパイプは、大部分が又はこの垂直方向にだけ延びて、パイプ長さが最小限に抑えられる。
【００３２】
ガスタービン６０は、圧縮機６１、燃焼器（図示せず）、及びタービン６２を備える。各ガスタービンは、関連する軸を有する。各ガスタービンに関して、発生器は、軸上に設けてもよい。２つのガスタービンが図３に示され、１つが各ＨＲＳＧ３０、４０用であるが、全般的には、１つ又は複数のガスタービンを設けてもよく、ガスタービンは、１つ又は複数のＨＲＳＧｓに連結してもよい。
【００３３】
様々な修正については、記載した実施形態に対して可能であり、以下の特許請求の範囲に定義される本発明から逸脱せずに当業者によって生起されよう。
【符号の説明】
【００３４】
１０  複合サイクル発電プラント
２０  蒸気タービン
２２  蒸気タービン回転軸
２３  高圧蒸気タービン
２４  中圧蒸気タービン
３０  第１の熱回収蒸気発生器（第１のＨＲＳＧ）
３２  第１の蒸気パイプシステム
３３  第１のＨＰ蒸気パイプシステム
３４  第１のＩＰ蒸気パイプシステム
３５  ＨＰ領域
３６  ＩＰ領域
４０  第２の熱回収蒸気発生器（第２のＨＲＳＧ）
４２  第２の蒸気パイプシステム
４３  第２のＨＰ蒸気パイプシステム
４４  第２のＩＰ蒸気パイプシステム
４５  ＨＰ領域
４６  ＩＰ領域
５０  軸
５２  発生器
６０  ガスタービン
６１  圧縮機
６２  タービン
６３  排気ガスライン
６４  排気ガスライン
ＣＣＰＰ  複合サイクル発電プラント
Ｇ  発生器
ＧＴ  ガスタービン
ＨＰ  高圧
ＨＲＳＧ  熱回収蒸気発生器
ＩＰ  中圧
ＬＰ  低圧
ＳＴ  蒸気タービン
【図１】
2017040266.tif 000003
【図２】
2017040266.tif 000004
【図３】
2017040266.tif 000005
【外国語明細書】
2017040266000001.pdf